(57)【要約】【課題】  本発明は、簡単な構造によって走行用案内ベアリングの損傷を抑制し、耐久性向上及びコストダウンを図ることが可能なフィルム延伸機のテンタクリップ走行装置を提供することにある。【解決手段】  本発明は、複数の走行用案内ベアリング２２，２３，２４，２５，２６を備え、かつプラスチックフィルム８を把持して走行するクリップ本体１８と、クリップ本体１８の走行を、案内ベアリング２２，２３，２４，２５，２６を介して案内する案内レール１４とが設けられているフィルム延伸機のテンタクリップ走行装置４において、案内ベアリング２４，２５，２６が保護カバー３０，３１，３２によって覆われている。【選択図】          図１
2005212182.tif 000002
【特許請求の範囲】
【請求項１】
複数の走行用案内ベアリングを備え、かつフィルムを把持して走行するクリップ本体と、該クリップ本体の走行を、前記案内ベアリングを介して案内する案内レールとが設けられているフィルム延伸機のテンタクリップ走行装置において、前記案内ベアリングが保護カバーによって覆われていることを特徴とするフィルム延伸機のテンタクリップ走行装置。
【請求項２】
前記保護カバーの少なくとも１つは、前記クリップ本体に一体的に設けられていることを特徴とする請求項１に記載のフィルム延伸機のテンタクリップ走行装置。
【請求項３】
前記保護カバーの少なくとも１つは、前記クリップ本体と別体のキャップであることを特徴とする請求項１に記載のフィルム延伸機のテンタクリップ走行装置。
【請求項４】
前記案内ベアリングには、前記案内レールの上面を転動する自重支持ベアリングと、前記案内レールの両側面を転動する上下部ベアリングとが含まれていることを特徴とする請求項１〜３のいずれかに記載のフィルム延伸機のテンタクリップ走行装置。
【請求項５】
前記案内ベアリングのうち、少なくとも下部ベアリングが前記保護カバーによって覆われていることを特徴とする請求項１〜４のいずれかに記載のフィルム延伸機のテンタクリップ走行装置。
【請求項６】
前記案内ベアリングのうち、少なくとも自重支持ベアリングが前記保護カバーによって覆われていることを特徴とする請求項１〜４のいずれかに記載のフィルム延伸機のテンタクリップ走行装置。
【請求項７】
前記案内ベアリングのうち、少なくとも上部ベアリングが前記保護カバーによって覆われていることを特徴とする請求項１〜４のいずれかに記載のフィルム延伸機のテンタクリップ走行装置。
【発明の詳細な説明】
【技術分野】
【０００１】
本発明は、プラスチックフィルムの横延伸機等に用いられるテンタクリップ走行装置に関するものである。
【背景技術】
【０００２】
従来のプラスチックフィルム横延伸機としては、例えば、図３に示すようなものがある。このような横延伸機１は、熱風式の加熱室であるオーブン２内を入口２ａから出口２ｂへ向かいながら、ガイドトラック３に沿って走行する１組のテンタクリップ走行装置４を２組具備している。ガイドトラック３の上下流端には、入口ターン部５及び出口ターン部６が設けられ、入口ターン部５から出口ターン部６までガイドトラック３に沿ってチェーンが巻き掛けられている。
【０００３】
上記テンタクリップ走行装置４は、多数のテンタクリップ７がチェーンで連結されて長手の無端状に構成されており、当該テンタクリップ７で帯状のプラスチックフィルム８の幅方向両縁部を把持し、延伸開始位置９から延伸終了位置１０にかけて長手方向（図３中の左側から右側）への走行中に幅方向に移動することにより、オーブン２内で加熱されたプラスチックフィルム８を横方向に延伸して拡幅するようになっている。なお、拡幅されたプラスチックフィルム８は、オーブン２の出口２ｂ側でテンタクリップ７による把持から解放され、図示しない次工程に引き取られる。
【０００４】
上記ガイドトラック３は、図４に示す如く、縦壁部１１、上下及び中間の横壁部１２ａ，１２ｂ，１２ｃを有するトラック本体１３と、複数枚の薄鋼板で形成され、トラック本体１３の中間横壁部１２ｃの両先端に垂直に設けられる案内レール１４と、該案内レール１４を外側から押えてボルト止めする押え板１５とから構成されている。案内レール１４の上面１４ａ及び上下部両側面１４ｂ，１４ｃは、転動する後述の走行用案内ベアリングの案内面となっている。
【０００５】
一方、上記テンタクリップ７は、図４に示す如く、チャンネル形状のリンクプレート１６と、該リンクプレート１６の上側に螺着されるクリッププレート１７とから成るクリップ本体１８を備えている（例えば、特許文献１参照）。リンクプレート１６は、チェーンのアウタリンクに相当する上下フランジ部１６ａ，１６ｂをウェブ部１６ｃで連結した構造であり、上下フランジ部１６ａ，１６ｂ間には、チェーン２９（図５参照）を連結するリンクピン１９が上下方向に沿って架設されている。
【特許文献１】実開平０１−１８０４５５号公報
【０００６】
クリッププレート１７は、垂直ブラケット１７ａの下部外側（案内レール１４と反対側）に水平方向へ突設されるクリップ台１７ｂと、垂直ブラケット１７ａの上部外側に突設され水平なピン２０を有する二股アーム１７ｃと、垂直ブラケット１７ａの上下中間部の内側（案内レール１４側）に水平方向へ突設される突出片１７ｄとを備えている。二股アーム１７ｃの間には、ピン２０によって回動自在に支持されたベルクランク状のクリップレバー２１の上下方向中間部が取付けられている。クリップレバー２１の下端にはプラスチックフィルム８を把持するクリップエッジ２１ａが設けられ、その上端には摺動部２１ｂが設けられている。なお、クリップレバー２１は、図示しない圧縮ばねによって図４の実線で示す閉位置と、２点鎖線で示す開位置の何れかの位置をとるようになっている。
【０００７】
突出片１７ｄの上側には、走行用案内ベアリングである自重支持ベアリング２２が水平軸を介して回転自在に片持ち支持されており、当該自重支持ベアリング２２は、突出片１７ｄに設けた貫通孔（図示せず）を通して案内レール１４の上面１４ａに載るように配置されている。
また、突出片１７ｄの内側先端の下部には、走行用案内ベアリングである２個の上部内側ベアリング２３がそれぞれ垂直軸を介して回転自在に片持ち支持されており、当該垂直軸は、案内レール１４に沿って間隔を開けて下向きに設けられている。しかも、突出片１７ｄの外側の下部には、走行用案内ベアリングである１個の上部外側ベアリング２４が下向きの垂直軸を介して回転自在に片持ち支持されており、上部内側ベアリング２３と上部外側ベアリング２４とは、案内レール１４を挟んで適宜の隙間を隔てて互いに対向して配置されている。
さらに、リンクプレート１６の下フランジ部１６ｂには、これから内側へ突出する受け台１６ｄが設けられており、当該受け台１６ｄの上面側には、走行用案内ベアリングである下部内側ベアリング２５及び下部外側ベアリング２６がそれぞれ垂直軸を介して回転自在に片持ち支持されており、これら下部ベアリング２５，２６は、案内レール１４を挟んで適宜の隙間を隔てて互いに対向して配置されている。
したがって、テンタクリップ７は、自重支持ベアリング２２によって自重が支えられ、上部ベアリング２３，２４及び下部ベアリング２５，２６によって横方向の運動と姿勢が規制されて走行するようになっている。
【発明の開示】
【発明が解決しようとする課題】
【０００８】
しかしながら、上述した従来のテンタクリップ走行装置４のテンタクリップ７では、図５に示す如く、オーブン２の出口２ｂ部付近に設置したノズル２７から潤滑油２８がチェーン２９を連結するリンクピン１９に対して吹き付けられるようになっており、しかも、自重支持ベアリング２２、上部ベアリング２３，２４及び下部ベアリング２５，２６は露出した状態で設置されているので、潤滑油２８が落下して、下部ベアリング２５，２６、特に外側ベアリング２６内に流入することが起こり、当該ベアリング２６に封入されているグリースと混合して、グリースの粘度を低下させるという不具合があった。その結果、グリースの飛散が発生し、内部焼付けなどによって下部外側ベアリング２６の損傷を招くおそれがあった。
また、従来のテンタクリップ７では、走行中、損傷したプラスチックフィルム８の切れ端が自重支持ベアリング２２、上部ベアリング２３，２４及び下部ベアリング２５，２６に巻き付いたり、あるいはプラスチックフィルム８や潤滑油２８中の揮発性成分（添加剤）が当該ベアリングに付着することが生じるので、これら不純物からベアリングを保護し、耐久性を向上させる必要があった。
【０００９】
本発明はこのような実状に鑑みてなされたものであり、その目的は、簡単な構造によって走行用案内ベアリングの損傷を抑制し、耐久性向上を図ることが可能なフィルム延伸機のテンタクリップ走行装置を提供することにある。
【課題を解決するための手段】
【００１０】
上記従来技術の有する課題を解決するために、本発明においては、複数の走行用案内ベアリングを備え、かつフィルムを把持して走行するクリップ本体と、該クリップ本体の走行を、前記案内ベアリングを介して案内する案内レールとが設けられているフィルム延伸機のテンタクリップ走行装置において、前記案内ベアリングが保護カバーによって覆われている。
【００１１】
また、本発明において、前記保護カバーの少なくとも１つは、前記クリップ本体に一体的に設けられていることが好ましい。あるいは、本発明において、前記保護カバーの少なくとも１つは、前記クリップ本体と別体のキャップであることが好ましい。
そして、本発明において、前記案内ベアリングには、前記案内レールの上面を転動する自重支持ベアリングと、前記案内レールの両側面を転動する上下部ベアリングとが含まれている。
さらに、本発明において、案内ベアリングのうち、少なくとも下部ベアリングが前記保護カバーによって覆われていることが好ましい。あるいは、本発明において、前記案内ベアリングのうち、少なくとも自重支持ベアリングが前記保護カバーによって覆われていることが好ましい。また、本発明において、前記案内ベアリングのうち、少なくとも上部ベアリングが前記保護カバーによって覆われていることが好ましい。
【発明の効果】
【００１２】
上述の如く、本発明に係るフィルム延伸機のテンタクリップ走行装置は、複数の走行用案内ベアリングを備え、かつフィルムを把持して走行するクリップ本体と、該クリップ本体の走行を、前記案内ベアリングを介して案内する案内レールとが設けられているものであって、前記案内ベアリングが保護カバーによって覆われているので、潤滑油がベアリング内に流入することにより生じるグリースの飛散などによって生じる走行用案内ベアリングの損傷を簡単な構造でかつ効果的に防止または抑制できると共に、耐久性向上を図ることができる。
【発明を実施するための最良の形態】
【００１３】
以下、本発明のフィルム延伸機のテンタクリップ走行装置を図示の実施の形態に基づいて詳細に説明する。ここで、図１は本発明の実施形態に係るフィルム延伸機のテンタクリップ走行装置のテンタクリップを示す概念的正面図である。なお、本発明の実施形態において、従来例と同一部位には同一符号を付して説明を省略する。
【００１４】
本発明の実施形態のフィルム延伸機におけるテンタクリップ走行装置４のテンタクリップ７では、図１に示す如く、走行用案内ベアリング２２，２３，２４，２５，２６のうち、上部外側ベアリング２４、下部内側ベアリング２５及び下部外側ベアリング２６が保護カバー３０，３１，３２によって覆われている。
上部外側ベアリング２４の上部外側保護カバー３０は、クリップ本体１８を構成するクリッププレート１７のクリップ台１７ｂを案内レール１４側（内側）へ向かって水平方向に延長することによって、クリップ本体１８と一体的に設けられている。すなわち、上部外側保護カバー３０は、上部外側ベアリング２４の下面側に沿って配置されており、その延長寸法は、案内レール１４との干渉を避けるため、案内レール１４側寄りの一部を除く大きさに形成されている。したがって、上部外側ベアリング２４は、案内レール１４との接触面側を除き、クリッププレート１７の垂直ブラケット１７ａ及び突出片１７ｄと、上部外側保護カバー３０とにより囲まれている。
【００１５】
また、下部内側ベアリング２５の下部内側保護カバー３１は、クリップ本体１８と別体のキャップによって構成されている。すなわち、キャップ状の下部内側保護カバー３１は、クランク形状に屈曲させた一枚のプレートを用いて形成され、下部内側ベアリング２５の軸部に取付けられており、下部内側ベアリング２５の上面側に沿って配置される上面部３１ａと、案内レール１４との干渉を避けるため、上面部３１ａの先端に設けられる起立部３１ｂと、上面部３１ａの基端に設けられ、かつ下部内側ベアリング２５の内側側面に沿って配置される側面部３１ｃと、側面部３１の下端に設けられ、かつ下部内側ベアリング２５の内側下面の一部に沿って配置される下面部３１ｄとをそれぞれ備えている。したがって、下部内側ベアリング２５は、案内レール１４との接触面側を除き、リンクプレート１６の受け台１６ｄと、下部内側保護カバー３１とにより囲まれている。
【００１６】
さらに、下部外側ベアリング２６の下部外側保護カバー３２は、クリップ本体１８を構成するリンクプレート１６の下フランジ部１６ｂの上部を案内レール１４側（内側）へ向かって水平方向に延長することによって、クリップ本体１８と一体的に設けられており、鋳物プレートに油カバーとしての機能と、下部外側ベアリング２６の支持部としての機能を持たせている。すなわち、下部外側保護カバー３２は、下部外側ベアリング２６の上面側に沿って配置されており、その延長寸法は、案内レール１４との干渉を避けるため、案内レール１４側寄りの一部を除く大きさに形成されている。したがって、下部外側ベアリング２６は、案内レール１４との接触面側を除き、リンクプレート１６の下フランジ部１６ｂ及び受け台１６ｄと、下部外側保護カバー３２とにより囲まれている。
【００１７】
本発明の実施形態に係るフィルム延伸機のテンタクリップ走行装置４では、テンタクリップ７の走行用案内ベアリング２２，２３，２４，２５，２６のうち、少なくとも上部外側ベアリング２４、下部内側ベアリング２５及び下部外側ベアリング２６が対応する保護カバー３０，３１，３２によって覆われているため、図５に示す如く、オーブン２の出口２ｂ部付近に設置したノズル２７から潤滑油２８をチェーン２９連結用のリンクピン１９に吹き付けても、落下などした潤滑油２８がベアリング２４，２５，２６内に流入し、封入されているグリースと混合してグリースの粘度を低下させるということは保護カバー３０，３１，３２の存在で無くなり、グリースの飛散によって生じるベアリング２４，２５，２６の損傷を防止または抑制することができる。しかも、テンタクリップ７の走行中、損傷したプラスチックフィルム８の切れ端や、プラスチックフィルム８及び潤滑油２８中の揮発性成分が当該ベアリング２４，２５，２６に巻き付いたり、付着したりすることが防げるため、これらベアリング２４，２５，２６の耐久性を向上させることができる。
【００１８】
また、本実施形態の保護カバー３０，３１，３２のうち、クリップ本体１８と一体の上部外側保護カバー３０及び下部外側カバー３２は、新規のテンタクリップ７に予め設ける場合に適用すれば、現場での組立作業が簡単となり、作業性の向上が図れる。一方、クリップ本体１８と別体の下部内側保護カバー３１は、既存の従来タイプのテンタクリップ７に後付けする場合に適用すれば、改造を行う必要がなく、設備のコストダウンが図れる。
【００１９】
図２は、本発明の他の実施形態に係るフィルム延伸機のテンタクリップ走行装置のテンタクリップを示す概念正面図である。
本発明の実施形態のテンタクリップ４７が上記実施形態のテンタクリップ７と異なる点は、図２に示す如く、走行用案内ベアリング２２，２３，２４，２５，２６のすべてがクリップ本体１８と別体のキャップである保護カバー３１，３３，３４，３５，３６によって覆われていることである。
自重支持ベアリング２２の頂部保護カバー３３は、断面逆Ｌ字状に屈曲させた一枚のプレートを用いて形成され、自重支持ベアリング２２の軸部に取付けられており、自重支持ベアリング２２の外側側面に沿って配置される外側面部３３ａと、外側面部３３ａの上端に設けられ、自重支持ベアリング２２の上面側に沿って配置される上面部３３ｂと、上面部３３ｂの先端に設けられ、かつ自重支持ベアリング２２の内側側面の一部に沿って配置される内側面部３３ｃとをそれぞれ備えている。したがって、自重支持ベアリング２２は、案内レール１４との接触面側を除き、クリッププレート１７の突出片１７ｄに立設された軸支持部３７と、頂部保護カバー３３とにより囲まれている。
【００２０】
上部内側ベアリング２３の上部内側保護カバー３４は、下部内側保護カバー３１と同様のクランク形状に形成され、下部内側保護カバー３１と逆向きに配置されて上部内側ベアリング２３の軸部に取付けられるものであり、下部内側保護カバー３１と同様、下面部３４ａ、起立部３４ｂ、側面部３４ｃ及び上面部３４ｄをそれぞれ備えている。したがって、上部内側ベアリング２３は、案内レール１４との接触面側を除き、クリッププレート１７の突出片１７ｄと、上部内側保護カバー３４とにより囲まれている。
上部外側ベアリング２４の上部外側保護カバー３５と下部外側ベアリング２６の下部外側保護カバー３６とは、同様のクランク形状に屈曲させた一枚のプレートを用いて形成され、互いに逆向きに配置されてベアリング２４，２６の軸部に取付けられるものである。すなわち、上部外側保護カバー３５及び下部外側保護カバー３６は、上部外側ベアリング２４の下面側及び下部外側ベアリング２６の上面側に沿って配置される下面部３５ａ及び上面部３６ａと、案内レール１４との干渉を避けるため、下面部３５ａ及び上面部３６ａの先端に設けられる起立部３５ｂ，３６ｂと、下面部３５ａ及び上面部３６ａの基端に設けられ、かつ上部外側ベアリング２４及び下部外側ベアリング２６の外側側面に沿って配置される側面部３５ｃ，３６ｃとをそれぞれ備えている。したがって、上部外側ベアリング２４は、案内レール１４との接触面側を除き、クリッププレート１７の突出片１７ｄと、上部外側保護カバー３５とにより囲まれている。また、下部外側ベアリング２６は、リンクプレート１６の受け台１６ｄと、下部外側保護カバー３６とにより囲まれている。なお、その他の構成及び作用は、上記実施形態と同様である。
【００２１】
本発明の実施形態のテンタクリップ走行装置４では、テンタクリップ４７の走行用案内ベアリング２２，２３，２４，２５，２６のすべてがクリップ本体１８と別体のキャップである保護カバー３１，３３，３４，３５，３６によって覆われているため、上記実施形態の効果に比べて、より一層これらベアリングの損傷を防止または抑制できると共に、耐久性向上を図ることができる。
【００２２】
以上、本発明の実施形態につき述べたが、本発明は既述の実施形態に限定されるものではなく、本発明の技術的思想に基づいて各種の変形及び変更が可能である。
例えば、本実施形態のテンタクリップ７では、一部のベアリング２４，２５，２６のみを一体型の保護カバー３０，３２や別体型の保護カバー３１によって覆っているが、覆う対象であるベアリングの種類や数、保護カバーの種類は、適用機種や保護の必要性に応じて任意に選択することができる。このため、他の実施形態におけるテンタクリップ４７のベアリング２２，２３，２４，２５，２６のすべてを別体型の保護カバーではなく、一体型の保護カバーによって覆うことも可能である。
【図面の簡単な説明】
【００２３】
【図１】本発明の実施形態に係るフィルム延伸機のテンタクリップ走行装置において、一部の走行用案内ベアリングが保護カバーによって覆われたテンタクリップを示す概念的正面図である。
【図２】本発明の他の実施形態に係るフィルム延伸機のテンタクリップ走行装置において、すべての走行用案内ベアリングが別体の保護カバーによって覆われたテンタクリップを示す概念的正面図である。
【図３】従来のフィルム延伸機を示す概念的平面図である。
【図４】図３のＡ−Ａ線を切断して示す斜視図である。
【図５】従来のフィルム延伸機のテンタクリップ走行装置におけるテンタクリップを示す概念的正面図である。
【符号の説明】
【００２４】
３  ガイドトラック
４  フィルム延伸機のテンタクリップ走行装置
７  テンタクリップ
８  プラスチックフィルム
１４  案内レール
１５  押え板
１６  リンクプレート
１６ｂ  下フランジ部
１６ｄ  受け台
１７  クリッププレート
１７ｂ  クリップ台
１８  クリップ本体
１９  リンクピン
２１  クリップレバー
２２  自重支持ベアリング
２３  上部内側ベアリング
２４  上部外側ベアリング
２５  下部内側ベアリング
２６  下部外側ベアリング
２９  チェーン
３０  上部外側保護カバー
３１  下部内側保護カバー
３２  下部外側保護カバー
３３  頂部保護カバー
３４  上部内側保護カバー
３５  上部外側保護カバー
３６  下部外側保護カバー
４７  テンタクリップ
【図１】
2005212182.tif 000003
【図２】
2005212182.tif 000004
【図３】
2005212182.tif 000005
【図４】
2005212182.tif 000006
【図５】
2005212182.tif 000007